(57)【要約】      （修正有）【課題】コネクタ全体のサイズを変えずに、サイズの小さい導体を組み付ける電線収容体、コネクタアセンブリ、及び防水性コネクタを提供する。【解決手段】複数の離間した、実質的に平行な円筒形空洞を内部に画定している、複数の導体２２０を収容するための、電気絶縁性電線収容体１００であって、各円筒形空洞は、電線収容体の前端部の前方開放端、及び電線収容体の反対側の後端部の後方開放又は閉鎖端を含み、電線収容体は一体型構造を有し、導体２２０が細長い空洞の前方開放端から各円筒形空洞に挿入され、電線収容体が複数のピアシングコンタクト３１０を有するコネクタに組み合わせられるときに、電線収容体は、各ピアシングコンタクトが電線収容体を貫通して導体２２０と接触するように十分に柔軟である【選択図】図３
2018098100.tif 000002
【特許請求の範囲】
【請求項１】
複数の離間した、実質的に平行な円筒形空洞（１２０）を内部に画定している、複数の導体（２２０）を収容するための、電気絶縁性電線収容体（１００）であって、
各円筒形空洞は、前記電線収容体の前端部（１０２）の前方開放端（１１２）、及び前記電線収容体の反対側の後端部（１０４）の後方開放又は閉鎖端（１１４）を含み、
前記電線収容体は一体型構造を有し、前記導体（２２０）が細長い空洞の前記前方開放端から各円筒形空洞に挿入され、前記電線収容体が複数のピアシングコンタクト（３１０）を有するコネクタ（３００）に組み合わせられるときに、前記電線収容体は、各ピアシングコンタクトが前記電線収容体を貫通して前記導体（２２０）と接触するように十分に柔軟である、電気絶縁性電線収容体（１００）。
【請求項２】
絶縁導体（２００）が各円筒形空洞内に挿入され、前記電線収容体が複数のピアシングコンタクト（３１０）を有するコネクタ（３００）に組み合わせられるときに、前記電線収容体は、各ピアシングコンタクトが前記電線収容体、及び前記絶縁導体の絶縁部（２１０）を貫通して前記導体（２２０）と接触するように、十分に柔軟である、請求項１に記載の電線収容体。
【請求項３】
各円筒形空洞の前記後方開放又は閉鎖端が、閉鎖端である、請求項１に記載の電線収容体。
【請求項４】
前記電線収容体の前記後端部に配置され、複数の円筒形空洞の前記閉鎖端を横断するように延在する固定部（７００）を更に含み、前記電線収容体が前記コネクタに組み付けられたときに、前記電線収容体の前記固定部が、前記コネクタの受容部（７１０）で締め付けられることで固定される、請求項３に記載の電線収容体。
【請求項５】
複数の実質的に平行な管状本体を更に含み、各管状本体は、複数の円筒形空洞の１つの円筒形空洞に画定されている請求項１に記載の電線収容体。
【請求項６】
少なくとも１つの円筒形空洞は、前記導体（２２０）を前記少なくとも１つの円筒形空洞に挿入するのを容易にするために潤滑剤（６００）を実質的に充填されている、請求項１に記載の電線収容体。
【請求項７】
基部（３３０）と、 
前記基部に組み合わせられた上部カバー（３２０）と、 
前記上部カバーと、前記基部との間に配置される複数の中空の円筒（１１０）であって、
各中空の円筒は前方開放端（１１２）及び後端部（１０４）を有する、複数の中空の円筒（１１０）と、 
複数のピアシングコンタクト（３１０）と、
前記中空の円筒のより大きな開口部から各中空の円筒へと挿入された第１導体（２２０）と、を含み、
前記中空の円筒は、各ピアシングコンタクトが対応する中空の円筒を貫通し、前記中空の円筒内に挿入された前記導体と接触するように、十分に柔軟であり、少なくとも１つの中空の円筒は、前記上部カバーと前記基部との間の境界部（３０１）を封止する、コネクタアセンブリ（４００）。
【請求項８】
前記基部に組み合わせられた下部カバー（３４０）と、
前記下部カバーと前記基部との間に配置された複数の第２導体（５２０）であって、各第２導体は対応するピアシングコンタクトと接触しており、各ピアシングコンタクトは、対応する第１導体と第２導体との間に電気接触をもたらす、複数の第２導体（５２０）とを更に含む、請求項７に記載のコネクタアセンブリ。
【請求項９】
各中空の円筒の前記後端部が閉じている、請求項７に記載のコネクタアセンブリ。 
【請求項１０】
ハウジング（３２０＋３３０）と、 
前記ハウジング内に配置された複数の中空の円筒（１１０）であって、各中空の円筒は、前方開放端（１１２）及び後方閉鎖端（１１４）を有し、前記中空の円筒は、前記中空の円筒の前記開放前端部から、ケーブルの複数の導体（２２０）を受容するように構成されており、前記中空の円筒はコネクタの前記ハウジングに水が入るのを実質的に防ぐ、中空の円筒（１１０）と、を含む、防水性コネクタ（３００）。
【請求項１１】
前記複数の中空の円筒が一体型構造を有する、請求項１０に記載の防水性コネクタ。
【発明の詳細な説明】
【技術分野】
【０００１】
本発明の一側面は、電線収容体、コネクタアセンブリ、及び防水性コネクタに関する。
【背景技術】
【０００２】
対応する複数の絶縁導体と他の複数の絶縁導体との間を電気的に接続するコネクタとして、従来から様々な種類のものが知られている。下記特許文献１に記載のコネクタは、底部カバーで支持された複数の絶縁導体と、上部カバーで支持された複数の絶縁導体とを、電気接触端子を介して電気的に接続するものである。このコネクタでは、電気接触端子が取り付けられたハウジングを挟む状態にて、上部カバー及び底部カバー同士を係合させている。
【先行技術文献】
【特許文献】
【０００３】
【特許文献１】特開平０８−２２２２９１号公報
【発明の概要】
【発明が解決しようとする課題】
【０００４】
ここで、組み付ける導体の中には規定のサイズより小さいものを取り扱う必要が生じる場合がある。しかしながら、このようなサイズの小さい導体を取り扱うためにコネクタ全体のサイズを変更するのは手間がかかるという問題がある。従って、コネクタ全体のサイズを変えずに、サイズの小さい導体を組み付けることが要請されていた。
【課題を解決するための手段】
【０００５】
本発明の一側面に係る電線収容体は、複数の離間した、実質的に平行な円筒形空洞（１２０）を内部に画定している、複数の導体（２２０）を収容するための、電気絶縁性電線収容体（１００）であって、各円筒形空洞は、電線収容体の前端部（１０２）の前方開放端（１１２）、及び電線収容体の反対側の後端部（１０４）の後方開放又は閉鎖端（１１４）を含み、電線収容体は一体型構造を有し、導体（２２０）が細長い空洞の前方開放端から各円筒形空洞に挿入され、電線収容体が複数のピアシングコンタクト（３１０）を有するコネクタ（３００）に組み合わせられるときに、電線収容体は、各ピアシングコンタクトが電線収容体を貫通して導体（２２０）と接触するように十分に柔軟である。
【０００６】
このような側面においては、導体が前方開放端から円筒形空洞に挿入されて、電線収容体が複数のピアシングコンタクトを有するコネクタに組み合わせられる。このとき、ピアシングコンタクトが電線収容体を貫通して導体と接触することで電気的に接続される。導体は電線収容体に挿入されているため、実質的に外径の大きい導体をコネクタに組み付けることと同等の取り扱いができる。従って、コネクタ全体のサイズを変えずに、サイズの小さい導体を組み付けることができる。
【発明の効果】
【０００７】
本発明の一側面によれば、コネクタ全体のサイズを変えずに、サイズの小さい導体を組み付けることができる。
【図面の簡単な説明】
【０００８】
【図１】実施形態に係る防水性コネクタを用いたコネクタアセンブリの斜視図である。
【図２】実施形態に係るコネクタアセンブリの展開斜視図である。
【図３】実施形態に係るコネクタアセンブリの組み付け前後の様子を示す概念図である。
【図４】実施形態に係る電線収容体の斜視図である。
【図５】実施形態に係る電線収容体の断面図である。
【図６】変形例に係る電線収容体及びピアシングコンタクトを示す図である。
【図７】上部カバー、及び変形例に係る電線収容体を示す図である。
【発明を実施するための形態】
【０００９】
以下、添付図面を参照して、本発明の実施形態について詳細に説明する。なお、以下の説明において、同一又は相当要素には同一符号を付し、重複する説明を省略する。また「Ｘ軸方向」、「Ｙ軸方向」及び「Ｚ軸方向」の語は、図示する方向に基づいており便宜的なものである。また、特に明示が無い限り、「導体」の語は、絶縁体被覆の有無は問わないものとして取り扱うものとするが、実施形態の説明においては、一例として、絶縁体被覆を有する導体（すなわち絶縁導体）を用いた態様の場合の説明をするものとする。
【００１０】
図１〜図３に示すように、本実施形態に係るコネクタアセンブリ４００は、基部３３０と、基部３３０に組み合わせられた上部カバー３２０と、上部カバー３２０と基部３３０との間に配置される複数の円筒形空洞１２０を有する電線収容体１００と、複数のピアシングコンタクト３１０と、電線収容体１００の円筒形空洞１２０に挿入された第１絶縁導体２００と、基部３３０に組み合わせられた下部カバー３４０と、下部カバー３４０と基部３３０との間に配置された複数の第２絶縁導体５００と、を備える。また、本実施形態に係る防水性コネクタ３００は、ハウジングを構成する上部カバー３２０及び基部３３０と、ハウジング内に配置された複数の円筒形空洞１２０と、を備える。なお、電線収容体１００には、絶縁体被覆（図３に示す絶縁部２１０）の有無を問わず、導体２２０が収容されていればよいものである。本実施形態では、絶縁部２１０を有する第１絶縁導体２００が収容される場合について説明を行うが、例えば絶縁部２１０が除去された状態の導体２２０が電線収容体１００に収容されてもよい。また、下部カバー３４０と基部３３０との間には、絶縁体被覆（図３に示す絶縁部５１０）の有無を問わず、導体５２０が配置されていればよいものである。本実施形態では、絶縁部５１０を有する第２絶縁導体５００が下部カバー３４０と基部３３０との間に配置される場合について説明を行うが、例えば絶縁部５１０が除去された状態の導体５２０が下部カバー３４０と基部３３０との間に配置されてもよい。
【００１１】
なお、本明細書中においては、第１絶縁導体２００及び第２絶縁導体５００が水平方向に延びると共に、第２絶縁導体５００が下側に配置されて第１絶縁導体２００が上側に配置されている状態（図１に示す状態）を基準として、「上」「下（底）」の語を用いる。ただし、防水性コネクタ３００の使用時においては、向きが限定されるものではない。また、説明のために、防水性コネクタ３００のハウジングに対してＸＹＺ座標系を設定して説明を行う。水平面内において互いに直交する「Ｘ軸方向」「Ｙ軸方向」を定義すると共に、Ｘ軸方向及びＹ軸方向に直交する「Ｚ軸方向」を定義する。
【００１２】
基部３３０は、上面３３０ａ及び底面３３０ｂを有する矩形板状の部材である。上面３３０ａからはピアシングコンタクト３１０が上方へ向かって延びている。底面３３０ｂからはピアシングコンタクト３１０が下方へ向かって延びている。基部３３０のＸ軸方向に対向する両縁部からは、上部カバー３２０を係合させるためのフック部３３１が上方へ向かって延び、下部カバー３４０を係合させるためのフック部３３２が下方へ向かって延びる。
【００１３】
上部カバー３２０は、第１絶縁導体２００を支持する底面３２０ａを有する矩形板状の部材である。底面３２０ａには、四本の第１絶縁導体２００を支持するための溝部３２１がＸ軸方向に四本並設されている。この溝部３２１は、Ｙ軸方向に延びる半円状に形成される。上部カバー３２０のＸ軸方向に対向する両端部には、基部３３０のフック部３３１と係合可能な係合部３２２が形成されている。上部カバー３２０は、基部３３０に取り付けられることによって、第１絶縁導体２００を基部３３０との間で挟み込むことができる。
【００１４】
下部カバー３４０は、第２絶縁導体５００を支持する底面３４０ａを有する矩形板状の部材である。底面３４０ａには、四本の第２絶縁導体５００を支持するための溝部３４１がＸ軸方向に四本並設されている。この溝部３４１は、Ｙ軸方向に延びる半円状に形成される。下部カバー３４０のＸ軸方向に対向する両端部には、基部３３０のフック部３３２と係合可能な係合部３４２が形成されている。下部カバー３４０は、基部３３０に取り付けられることによって、第２絶縁導体５００を基部３３０との間で挟み込むことができる。
【００１５】
複数のピアシングコンタクト３１０は、上部カバー３２０側で第１絶縁導体２００と電気的に接続され、下部カバー３４０側で第２絶縁導体５００と電気的に接続されることで、上側の複数の第１絶縁導体２００と下側の複数の第２絶縁導体５００とをそれぞれ電気的に接続する。すなわち、各第２絶縁導体５００は対応するピアシングコンタクト３１０と接触しており、各ピアシングコンタクト３１０は、対応する第１絶縁導体２００と第２絶縁導体５００との間に電気接触をもたらす。複数のピアシングコンタクト３１０は、Ｙ軸方向から見て一定間隔に並んでいる。本実施形態では、複数のピアシングコンタクト３１０は、Ｘ軸方向に沿って千鳥状に配置されている。複数のピアシングコンタクト３１０は、上側及び下側において複数のＩＤＣコンタクト３１０ａを含む。ＩＤＣコンタクト３１０ａは、互いに対向する刃部を有している。上部カバー３２０で第１絶縁導体２００をＩＤＣコンタクト３１０ａに押圧することで、ＩＤＣコンタクト３１０ａは、電線収容体１００、絶縁導体の絶縁部２１０を貫通し、導体２２０と接触する。なお、複数のピアシングコンタクト３１０の種類は限定されず、突き刺すことで導体２２０と接触する複数のチゼルコンタクト３１０ｂであってもよい（図６（ｂ）参照）。
【００１６】
電線収容体１００は、第１絶縁導体２００の端部を収容させることにより、当該第１絶縁導体２００が細すぎる場合であっても、ピアシングコンタクト３１０と接続できるようにするための部材である。図４に示すように、電線収容体１００は、複数の実質的に平行な管状本体１１０を含む。管状本体１１０は、Ｙ軸方向に平行に延びており、Ｘ軸方向に複数並設されている。電線収容体１００は一体型構造を有する。すなわち、各管状本体１１０は、成形などによって一体的に形成されており、互いに一体化されている。
【００１７】
各管状本体１１０は、複数の円筒形空洞１２０の１つの円筒形空洞１２０に画定されている。各円筒形空洞１２０は、電線収容体１００の前端部１０２の前方開放端１１２、及び電線収容体１００の反対側の後端部１０４の後方閉鎖端１１４を含む。隣接する管状本体１１０の各対に関して、一方の管状本体１１０の円筒形空洞１２０が、他方の管状本体１１０の円筒形空洞１２０から電気的及び機械的に分離されている。また、いずれかの隣接する円筒形空洞１２０の間には、開口が存在しておらず、互いに封止されていてもよいし、開口により隣接する円筒形空洞１２０が互いに連結されていてもよいが、防水性能や絶縁性能の観点から開口が存在しないものが望ましい。第１絶縁導体２００が細長い空洞の前方開放端１１２から各円筒形空洞１２０に挿入され、電線収容体１００が複数のピアシングコンタクト３１０を有する防水性コネクタ３００に組み合わせられるときに、電線収容体１００は、各ピアシングコンタクト３１０が電線収容体１００を貫通して導体２２０と接触するように十分に柔軟である。なお、円筒形空洞１２０には第１絶縁導体２００の導体２２０がむき出しとなった状態（すなわち、絶縁体被覆を有さない導体２２０）で挿入されてもよい。電線収容体１００の材質としては、防水性を有する材料が好ましく、例えばシリコンゴム、二トリルゴム等が採用される。
【００１８】
ここで、図５に示すように、円筒形空洞１２０は、第１絶縁導体２００を円筒形空洞１２０に挿入するのを容易にするために潤滑剤６００を実質的に充填されている。潤滑剤６００として、グリース（シリコン系グリース、オレフィン系グリース等）、ジェル等を採用することができる。潤滑剤６００は、第１絶縁導体２００の挿入前に、予め円筒形空洞１２０の内部に充填されてよい。また、潤滑剤６００は、円筒形空洞１２０の内面にのみ塗布されていてもよい。あるいは、第１絶縁導体２００の先端側に潤滑剤を塗布した状態で、当該第１絶縁導体２００を円筒形空洞１２０に挿入してもよい。なお、潤滑剤６００に替えて防水性を高めるための封止剤を充填してもよく、あるいは潤滑剤と同時に封止剤として機能する充填剤を充填してもよい。
【００１９】
また、管状本体１１０の前方開放端１１２は、第１絶縁導体２００を管状本体１１０の円筒形空洞１２０に挿入するのを容易にするために傾斜している。このように前方開放端１１２が傾斜することによって、円筒形空洞１２０の入口の面積が実質的に広くなる。従って、第１絶縁導体２００の先端を円筒形空洞１２０の入口に挿入し易くなる。また、前方開放端１１２が傾斜することによって、上方から見て内面１０３が一部露出した部分１４０（図５（ａ）参照）が、第１絶縁導体２００の先端を円筒形空洞１２０の内部へ案内するガイド部として機能する。傾斜角度は特に限定されないが、例えば、前方開放端１１２の傾斜角度は、水平方向に対して、３０〜６０°であってよい。なお、傾斜させる代わりに、図６（ａ）に示すように、管状本体１１０に関し、第１絶縁導体２００を管状本体１１０の円筒形空洞１２０に挿入するのを容易にするために、前方開放端１１２の第１部分３１３が、前方開放端の第２部分３１４に対して凹んでいてもよい。
【００２０】
次に、円筒形空洞１２０の直径について説明する。管状本体１１０に関し、管状本体１１０の円筒形空洞１２０が、円筒形空洞１２０の全長の少なくとも７０％に沿って同じ直径を有してよく、少なくとも８０％に沿って同じ直径を有してよく、少なくとも９０％に沿って同じ直径を有してよい。ここで、「同じ直径」は、管状本体１１０の前方開放端１１２の開口直径と同じ直径となっていてもよく、または、前方開放端１１２とは異なる直径であってもよい。前方開放端１１２の開口直径が「同じ直径」よりも大きくてもよく、また、同じ直径以外の部分は直径が小さくなっていてよい。なお、本実施形態においては、複数の管状本体１１０の前方開放端１１２の開口直径が全て同じになっているが、少なくとも１の管状本体１１０の前方開放端１１２の開口直径が、少なくとも１つの他の管状本体１１０の前方開放端１１２の開口直径とは異なってもよい。
【００２１】
また、管状本体１１０が、少なくとも１つの管状本体１１０の円筒形空洞１２０に挿入された第１絶縁導体２００と緊密に係合するために、管状本体１１０の内面１０３上にくびれ１１９を含んでいてよい。くびれ１１９は、内面１０３から内周側へ凸となることで、部分的に径が小さくなる部分を構成する。くびれ１１９は内面１０３の全周にわたって形成されることで、環状をなしている。
【００２２】
次に、コネクタアセンブリ４００の防水性について説明する。上部カバー３２０を基部３３０側に押圧することで、ピアシングコンタクト３１０に第１絶縁導体２００の導体２２０を電気的に接触させたとき、管状本体１１０は、ピアシングコンタクト３１０に貫通され、基部３３０の上面３３０ａに押圧される。これによって、管状本体１１０は、上部カバー３２０と基部３３０との間の境界部３０１を封止する。また、内部に水が入るのを防ぐために、組み立てた基部３３０と上部カバー３２０との空隙を実質的に充填する封止剤が塗布されていてもよい。
【００２３】
なお、図７に示すように、電線収容体１００は、当該電線収容体１００の後端部１０４に配置され、複数の円筒形空洞１２０の閉鎖端を横断するように延在する固定部７００を更に含んでよい。この場合、電線収容体１００が防水性コネクタ３００に組み付けられたときに、電線収容体１００の固定部７００が、防水性コネクタ３００の受容部７１０で締め付けられることで固定される。受容部７１０は、上部カバー３２０のＹ軸方向における端部に設けられている。固定部７００は、受容部７１０に嵌め込まれる大きさ及び形状に構成されている。上部カバー３２０の係合部３２２と、基部３３０のフック部３３１を係合させたとき（図２参照）、固定部７００は、受容部７１０において上部カバー３２０と基部３３０とに締め付けられることで固定される。
【００２４】
次に、本実施形態に係る電線収容体１００、コネクタアセンブリ、及び防水性コネクタ３００の作用・効果について説明する。
【００２５】
本実施形態に係る電線収容体１００においては、第１絶縁導体２００（導体２２０）が前方開放端１１２から円筒形空洞１２０に挿入されて、電線収容体１００が複数のピアシングコンタクト３１０を有する防水性コネクタ３００に組み合わせられる。このとき、ピアシングコンタクト３１０が電線収容体１００を貫通して導体２２０と接触することで電気的に接続される。第１絶縁導体２００は電線収容体１００に挿入されているため、実質的に外径の大きい第１絶縁導体２００をコネクタに組み付けることと同等の取り扱いができる。従って、コネクタ全体のサイズを変えずに、サイズの小さい第１絶縁導体２００を組み付けることができる。また、電線収容体１００は、複数の第１絶縁導体２００を撚った丸型ケーブルを平型ケーブル状に整列させる機能も有する。例えば、図７に示すように、丸型ケーブル８００の絶縁性被覆を除去することで複数の第１絶縁導体２００を露出させて、それぞれ電線収容体１００の円筒形空洞１２０に収容する。これにより、丸型ケーブル８００の複数の第１絶縁導体２００が、平型ケーブル状に整列される。
【００２６】
本実施形態に係る電線収容体１００において、第１絶縁導体２００が各円筒形空洞１２０内に挿入され、電線収容体１００が複数のピアシングコンタクト３１０を有するコネクタ３００に組み合わせられるときに、電線収容体１００は、各ピアシングコンタクト３１０が電線収容体１００、及び第１絶縁導体２００の絶縁部２１０を貫通して導体２２０と接触するように、十分に柔軟である。これにより、ピアシングコンタクト３１０は、電線収容体１００及び絶縁部２１０を貫通して、導体２２０と電気的に接続される。
【００２７】
本実施形態に係る電線収容体１００において、各円筒形空洞１２０の後端部は、閉鎖端である。この場合、例えば円筒形空洞１２０内に充填剤を充填した時に、円筒形空洞１２０内に保持することができる。
【００２８】
本実施形態に係る電線収容体１００は、当該電線収容体１００の後端部に配置され、複数の円筒形空洞１２０の閉鎖端を横断するように延在する固定部７００を更に含み、電線収容体１００が防水性コネクタ３００に組み付けられたときに、電線収容体１００の固定部７００が、防水性コネクタ３００の受容部７１０で締め付けられることで固定されてよい。これにより、電線収容体１００を防水性コネクタ３００に十分に固定することができる。
【００２９】
本実施形態に係る電線収容体１００において、複数の実質的に平行な管状本体１１０を更に含み、各管状本体１１０は、複数の円筒形空洞１２０の１つの円筒形空洞１２０に画定されている。これにより、第１の絶縁導体２００を管状本体１１０の外径を有する絶縁導体として取り扱うことができる。
【００３０】
本実施形態に係る電線収容体１００において、少なくとも１つの円筒形空洞１２０は、導体２２０を少なくとも１つの円筒形空洞１２０に挿入するのを容易にするために潤滑剤６００を実質的に充填されている。これにより、導体２２０を容易に円筒形空洞１２０に挿入することができる。
【００３１】
本実施形態に係るコネクタアセンブリ４００は、基部３３０と、基部３３０に組み合わせられた上部カバー３２０と、上部カバー３２０と、基部３３０との間に配置される複数の管状本体１１０であって、各中空の円筒は前方開放端１１２及び後端部１０４を有する、複数の管状本体１１０と、複数のピアシングコンタクト３１０と、管状本体１１０のより大きな開口部から各管状本体１１０へと挿入された導体２２０と、を含み、管状本体１１０は、各ピアシングコンタクト３１０が対応する管状本体１１０を貫通し、管状本体１１０内に挿入された導体２２０と接触するように、十分に柔軟であり、少なくとも１つの管状本体１１０は、上部カバー３２０と基部３３０との間の境界部３０１を封止する。
【００３２】
このコネクタアセンブリ４００によれば、上述の電線収容体１００と同様な作用・効果を奏する。また、管状本体１１０が上部カバー３２０と基部３３０との間の境界部３０１を封止する。ことで防水性も向上できる。
【００３３】
本実施形態に係るコネクタアセンブリ４００では、基部３３０に組み合わせられた下部カバー３４０と、下部カバー３４０と基部３３０との間に配置された複数の導体５２０であって、各導体５２０は対応するピアシングコンタクト３１０と接触しており、各ピアシングコンタクト３１０は、対応する導体２２０と導体５２０との間に電気接触をもたらす、複数の第２絶縁導体５００とを更に含む。
【００３４】
本実施形態に係るコネクタアセンブリ４００では、各管状本体１１０の後端部が閉じている。この場合、例えば円筒形空洞１２０内に充填剤を充填した時に、円筒形空洞１２０内に保持することができる。
【００３５】
本実施形態に係る防水性コネクタ３００は、ハウジングと、ハウジング内に配置された複数の管状本体１１０であって、各管状本体１１０は、前方開放端１１２及び後方閉鎖端１１４を有し、管状本体１１０は、管状本体１１０の前方開放端１１２から、ケーブルの複数の第１絶縁導体２００を受容するように構成されており、防水性コネクタ３００のハウジングに水が入るのを実質的に防ぐ、管状本体１１０と、を含む。
【００３６】
この防水性コネクタ３００によれば、上述の電線収容体１００と同様な作用・効果を奏する。また、管状本体１１０がハウジングに水が入るのを実質的に防ぐことで、防水性も向上できる。
【００３７】
本実施形態に係る防水性コネクタ３００では、複数の管状本体１１０が一体型構造を有する。この場合、管状本体１１０が一体型構造を有することで、防水性を高めることができる。
【００３８】
本発明は、上述の実施形態に限定されるものではない。
【００３９】
例えば、上述の第１絶縁導体、第２絶縁導体の本数はそれぞれ４本であったが、それより少ない本数でもよく、それより多い本数でもよい。
【００４０】
また、管状本体の後端部が開放端であってもよい。このとき、前端部側の開口直径と後端部側の開口直径が互いに等しくてもよい。あるいは、後端部側の開口直径が前端部側の開口直径より小さくてもよい。
【００４１】
以下は、本記載の、代表的な実施形態のリストである。
【００４２】
実施形態１は、複数の実質的に平行な管状本体（１１０）を含む、複数の導体（２２０）を収容するための、電気絶縁性電線収容体（１００）であって、各管状本体は、電線収容体の前端部（１０２）における管状本体の第１開放端（１１２）から、電線収容体の反対の後端部（１０４）における管状本体の閉鎖端（１１４）における管状本体の第２開放又は閉鎖端（１１４）まで、管状本体の長さ（ｙ）に沿って延びる、管状空洞（１２０）を内部に画定し、電線収容体は、一体型構造を有し、導体（２２０）が各管状空洞内に挿入され、電線収容体が複数のピアシングコンタクト（３１０）を有するコネクタ（３００）に組み合わせられるときに、管状本体は、各ピアシングコンタクトが対応する管状本体を貫通して導体と接触するように、十分に柔軟である、電気絶縁性電線収容体（１００）である。
【００４３】
実施形態２は、各管状本体の第２開放又は閉鎖端が、閉鎖端である、実施形態１に記載の電線収容体である。
【００４４】
実施形態３は、各管状本体の第２開放又は閉鎖端が開放端であり、管状本体の第１開放端が第１開口直径を有し、管状本体の第２開放端が、第１開口直径と等しい第２開口直径を有する、実施形態１に記載の電線収容体である。
【００４５】
実施形態４は、各管状本体の第２開放又は閉鎖端が開放端であり、管状本体の第１開放端が第１開口直径を有し、管状本体の第２開放端が、第１開口直径よりも小さい第２開口直径を有する、実施形態１に記載の電線収容体である。
【００４６】
実施形態５は、絶縁導体（２００）が各管状空洞内に挿入され、電線収容体が複数のピアシングコンタクト（３１０）を有するコネクタ（３００）に組み合わせられるときに、管状本体は、各ピアシングコンタクトが対応する管状本体、及び絶縁導体の絶縁部（２１０）を貫通して導体（２２０）と接触するように、十分に柔軟である、実施形態１に記載の電線収容体である。
【００４７】
実施形態６は、隣接する管状本体の各対に関して、一方の管状本体の管状空洞が、他方の管状本体の管状空洞から電気的及び機械的に分離されている、実施形態１に記載の電線収容体である。
【００４８】
実施形態７は、いずれかの隣接する管状空洞の間に、開口が存在しない、実施形態１に記載の電線収容体である。
【００４９】
実施形態８は、少なくとも１つの管状本体（１１０）の第１開放端（１１２）が、導体（２２０）を、少なくとも１つの管状本体の管状空洞に挿入するのを容易にするために傾斜している、実施形態１に記載の電線収容体である。
【００５０】
実施形態９は、少なくとも１つの管状本体（１１０）に関し、導体（２２０）を、少なくとも１つの管状本体の管状空洞に挿入するのを容易にするために、第１開放端（１１２）の第１部分（３１３）が、第１開放端の第２部分（３１４）に対して凹んでいる、実施形態１に記載の電線収容体である。
【００５１】
実施形態１０は、少なくとも１つの管状本体に関し、管状本体の管状空洞が、管状空洞の全長の少なくとも７０％に沿って、同じ直径を有する、実施形態１に記載の電線収容体である。
【００５２】
実施形態１１は、少なくとも１つの管状本体に関し、管状本体の管状空洞が、管状空洞の全長の少なくとも８０％に沿って、同じ直径を有する、実施形態１に記載の電線収容体である。
【００５３】
実施形態１２は、少なくとも１つの管状本体に関し、管状本体の管状空洞が、管状空洞の全長の少なくとも９０％に沿って、同じ直径を有する、実施形態１に記載の電線収容体である。
【００５４】
実施形態１３は、上記同じ直径が、少なくとも１つの管状本体の第１開放端の第１開口直径である、実施形態１０、１１、又は１２に記載の電線収容体である。
【００５５】
実施形態１４は、複数の管状本体が、電線収容体の上部波形表面（１０６）、及び電線収容体の下部波形表面（１０８）を画定する、実施形態１に記載の電線収容体である。
【００５６】
実施形態１５は、電線収容体がコネクタ（３００）に組み合わせられるときに、電線収容体が、電線収容体の上部及び下部波形表面の少なくとも一方と実質的に適合するコネクタの波形表面（３０２）に受容される、実施形態１４に記載の電線収容体である。
【００５７】
実施形態１６は、電線収容体がコネクタ（３００）に組み合わせられるときに、電線収容体が、コネクタの第１部分（３２０）と第２部分（３３０）との間に固定される、実施形態１に記載の電線収容体である。
【００５８】
実施形態１７は、電線収容体がコネクタ（３００）に組み合わせられるときに、実質的に電線収容体全体がコネクタの内側に配置される、実施形態１に記載の電線収容体である。
【００５９】
実施形態１８は、少なくとも１つの管状本体の第１開放端の第１開口直径が、少なくとも１つの他の管状本体の第１開放端の第１開口直径とは異なる、実施形態１に記載の電線収容体である。
【００６０】
実施形態１９は、少なくとも１つの管状本体の内面（１０３）が、導体（２２０）を少なくとも１つの管状本体の管状空洞に挿入するのを容易にするために潤滑剤（６００）により潤滑されている、実施形態１に記載の電線収容体である。
【００６１】
実施形態２０は、少なくとも１つの管状本体の管状空洞が、導体（２２０）を少なくとも１つの管状本体の管状空洞に挿入するのを容易にするために潤滑剤（６００）を実質的に充填されている、実施形態１に記載の電線収容体である。
【００６２】
実施形態２１は、防水性粘弾性材料から作製された、実施形態１に記載の電線収容体である。
【００６３】
実施形態２２は、複数のピアシングコンタクトが、ＩＤＣコンタクト（３１０ａ）を含む、実施形態１に記載の電線収容体である。
【００６４】
実施形態２３は、複数のピアシングコンタクトが、チゼルコンタクト（３１０ｂ）を含む、実施形態１に記載の電線収容体である。
【００６５】
実施形態２４は、少なくとも１つの管状本体が、少なくとも１つの管状本体の管状空洞に挿入された導体と緊密に係合するために、少なくとも１つの管状本体の内面（１０３）上にくびれ（１１９）を含んでいる、実施形態１に記載の電線収容体である。
【００６６】
実施形態２５は、くびれが環状である、実施形態２４に記載の電線収容体である。
【００６７】
実施形態２６は、管状本体が、管状本体の単一の列を形成している、実施形態１に記載の電線収容体である。
【００６８】
実施形態２７は、複数の離間した、実質的に平行な円筒形空洞（１２０）を内部に画定している、複数の導体（２２０）を収容するための、電気絶縁性電線収容体（１００）であって、各円筒形空洞は、電線収容体の前端部（１０２）の前方開放端（１１２）、及び電線収容体の反対側の後端部（１０４）の後方閉鎖端（１１４）を含み、電線収容体は一体型構造を有し、導体（２２０）が細長い空洞の前方開放端から各円筒形空洞に挿入され、電線収容体が複数のピアシングコンタクト（３１０）を有するコネクタ（３００）に組み合わせられるときに、電線収容体は、各ピアシングコンタクトが電線収容体を貫通して導体と接触するように十分に柔軟である、電気絶縁性電線収容体（１００）である。
【００６９】
実施形態２８は、絶縁導体（２００）が各円筒形空洞内に挿入され、電線収容体が複数のピアシングコンタクト（３１０）を有するコネクタ（３００）に組み合わせられるときに、電線収容体は、各ピアシングコンタクトが電線収容体、及び絶縁導体の絶縁部（２１０）を貫通して導体（２２０）と接触するように、十分に柔軟である、実施形態２７に記載の電線収容体である。
【００７０】
実施形態２９は、円筒形空洞が、円筒形空洞の単一の列を形成する、実施形態２７に記載の電線収容体である。
【００７１】
実施形態３０は、
基部（３３０）と、 
基部に組み合わせられた上部カバー（３２０）と、 
上部カバーと、基部との間に配置される複数の中空の円筒（１１０）であって、各中空の円筒は前方開口部（１１２）及び後端部（１０４）を有する、複数の中空の円筒（１１０）と、
複数のピアシングコンタクト（３１０）と、
中空の円筒のより大きな前方開口部から各中空の円筒へと挿入された第１導体（２２０）と、を含み、
中空の円筒は、各ピアシングコンタクトが対応する中空の円筒を貫通し、中空の円筒内に挿入された導体と接触するように、十分に柔軟であり、少なくとも１つの中空の円筒は、上部カバーと基部との間の境界部（３０１）を封止する、防水性コネクタアセンブリ（４００）である。
【００７２】
実施形態３１は、複数のピアシングコンタクトが、複数のＩＤＣコンタクト（３１０ａ）を含む、実施形態３０に記載の防水性コネクタアセンブリである。
【００７３】
実施形態３２は、複数のピアシングコンタクトが、複数のチゼルコンタクト（３１０ｂ）を含む、実施形態３０に記載の防水性コネクタアセンブリである。
【００７４】
実施形態３３は、
基部に組み合わせられた下部カバー（３４０）と、
下部カバーと基部との間に配置された複数の第２導体（５２０）であって、各第２導体は対応するピアシングコンタクトと接触しており、各ピアシングコンタクトは、対応する第１導体と第２導体との間に電気接触をもたらす、複数の第２導体（５２０）とを更に含む、実施形態３０に記載の防水性コネクタアセンブリである。  
【００７５】
実施形態３４は、複数の中空の円筒が一体型構造を有する、実施形態３０に記載の防水性コネクタアセンブリである。
【００７６】
実施形態３５は、各中空の円筒の後端部が閉じている、実施形態３０に記載の防水性コネクタアセンブリである。 
【００７７】
実施形態３６は、各中空の円筒の後端部が後方開口部を含んでいる、実施形態３０に記載の防水性コネクタアセンブリである。 
【００７８】
実施形態３７は、後方開口部が、中空の円筒の前方開口部よりも小さい、実施形態３０に記載の防水性コネクタアセンブリである。
【００７９】
実施形態３８は、前方開口部と後方開口部が同じ大きさを有する、実施形態３０に記載の防水性コネクタアセンブリである。
【００８０】
実施形態３９は、少なくとも１つの中空の円筒の内部が潤滑されている、実施形態３０に記載の防水性コネクタアセンブリである。
【００８１】
実施形態４０は、各第１導体と、第１導体が挿入される中空の円筒との間の空隙が、少なくとも部分的に封止剤を充填されている、実施形態３０に記載の防水性コネクタアセンブリである。
【００８２】
実施形態４１は、各第１導体と、第１導体が挿入される中空の円筒との間の空隙を実質的に充填する封止剤を更に含む、実施形態３０に記載の防水性コネクタアセンブリである。
【００８３】
実施形態４２は、内部に水が入るのを防ぐために、組み立てた基部と上部カバーとの空隙を実質的に充填する封止剤を更に含む、実施形態３０に記載の防水性コネクタアセンブリである。
【００８４】
実施形態４３は、
ハウジング（３２０＋３３０）と、 
ハウジング内に配置された複数の中空の円筒（１１０）であって、各中空の円筒は、開放前端部（１１２）及び閉鎖後端部（１０４）を有し、中空の円筒は、中空の円筒の開放前端部から、ケーブルの複数の導体（２２０）を受容するように構成されており、中空の円筒はコネクタのハウジングに水が入るのを実質的に防ぐ、中空の円筒（１１０）と、を含む、防水性コネクタ（３００）である。 
【００８５】
実施形態４４は、複数の中空の円筒が一体型構造を有する、実施形態４３に記載の防水性コネクタである。
【００８６】
実施形態４５は、中空の円筒と、中空の円筒に受容される導体との間の空隙を実質的に充填する封止剤を更に含む、実施形態４３に記載の防水性コネクタである。
【００８７】
実施形態４６は、コネクタの内側の空隙を実質的に充填する封止剤を更に含む、実施形態４３に記載の防水性コネクタである。
【符号の説明】
【００８８】
１００…電線収容体、１１０…管状本体（中空の円筒）、１２０…円筒形空洞、２００…第１絶縁導体、２１０…絶縁部、２２０…導体、３００…防水性コネクタ、３１０…ピアシングコンタクト、３２０…上部カバー、３３０…基部、３４０…下部カバー、４００…コネクタアセンブリ、５００…第２絶縁導体。
【図１】
2018098100.tif 000003
【図２】
2018098100.tif 000004
【図３】
2018098100.tif 000005
【図４】
2018098100.tif 000006
【図５】
2018098100.tif 000007
【図６】
2018098100.tif 000008
【図７】
2018098100.tif 000009